(57)【要約】【課題】緑化舗装に用いる緑化ブロックにおいて、他の部材を必要とすることなく、簡単に緑化舗装を構築することができ、外部から力が作用した場合であっても、移動することなく安定した状態を維持できるようにする。【解決手段】ブロック本体１０の周面下部には、植生土を充填するための空間を形成する目地用突出部２０が側方に突出形成されている。目地用突出部２０には、四隅に１／４円状の水抜用切欠３０が形成されるとともに、長手側の中央にも、半円状の水抜用切欠４０が形成されている。目地用突出部２０は、２個（両側では４個）の長手側目地用突出部２１と、短手側目地用突出部２２とからなっている。長手側目地用突出部２１と短手側目地用突出部２２とは、略台形状の同一形状に形成されている。ブロック本体１０及び短手側目地用突出部２２の下面には、長手方向に貫通した断面半円状の溝５０が形成されている。【選択図】　　　　図１
2004124481.tif 000002
【特許請求の範囲】
【請求項１】
ブロック本体と、このブロック本体の周面下端部に突出形成された目地用突出部とを有することを特徴とする緑化ブロック。
【請求項２】
前記ブロック本体の下面に凹部が形成されている請求項１記載の緑化ブロック。
【発明の詳細な説明】
【０００１】
【発明の属する技術分野】
本発明は、緑化舗装に用いる緑化ブロックに関するものである。
【０００２】
【従来の技術】
近年、公園、駐車場等の道路には緑化舗装が施されるケースが多くなってきた。この緑化舗装は、芝生を独立又は連続して植設するもので、独立形式の緑化舗装は、穴明きブロックを使用し、この穴明きブロックの穴の中に植生土を充填するとともに、芝を植え付けるものである。また、連続形式の緑化舗装は、ブロックとブロックとの目地の部分を広げ、この連続する目地部分に植生土を充填するととももに、芝を植えつけるものである。
【０００３】
従来、上述した連続形式の緑化舗装を行うには、直方体状のブロックと、ブロック間の目地を確保するためのスペーサとを用いて行われていた。すなわち、図５に示すように、ブロック６１を舗装用スペーサ６２を介して所定間隔で配置し、このブロック６１間に植生土６３を充填するとともに、芝６４を植え付けているものである。この舗装用スペーサ６２は、ベース板６５と、このベース板６５から上方へ突出したスペーサ６６とを有し、ベース板６５上にブロック６１を敷設するとともに、スペーサ６６間に植生土６３を充填している（例えば、特許文献１参照）。
【０００４】
【特許文献１】
特開平１１−１８１７０４号公報（第３頁、第４図等）
【０００５】
【発明が解決しようとする課題】
しかしながら、上述した舗装用スペーサを用いた緑化舗装においては、ブロック６１の他、舗装用スペーサ６２を用意しなければならないので、高価になり、また、緑化舗装の構築作業が面倒なものであった。
【０００６】
さらに、ブロックとしては直方体状のものを用いるので、車が走行した際、タイヤからの力によりブロックにガタ（ブロックが斜めになったりして隙間が生じる現象）が生じるものであった。すなわち、図５に示すように、車がブロック６１上を走行した際、タイヤ６７がブロック６１上面の角部ａに当接することになり、ブロック６１下面の角部ｂを中心としてブロック６１を回転させようとする。ところで、この時、角部ｂは角部ａの直下にあり、ブロック６１の中心線ｃから近いものである。その結果、角部ａにタイヤ６７から力が作用すると、その力の大部分が回転力として作用し、簡単に斜めに傾くものであった。
【０００７】
本発明は、以上の問題点を解決し、ブロック以外の他の部材を必要とせず緑化舗装を構築することができ、また、車の走行等の外部からの力が作用しても、ブロックにガタが発生せず安定している緑化ブロックを提供することを目的とする。
【０００８】
本発明者は、上記目的を達成するために鋭意検討し、ブロックの回転しようとする中心が、タイヤの当接する部位から反進行側に位置するとともに、中心線から遠くすることにより、車の走行等の外部から力が作用した際においても、傾いたりすること無く極めて安定していることを見出し、本発明を完成させたものである。
【０００９】
【課題を解決するための手段】
請求項１に係る発明は、ブロック本体と、このブロック本体の周面下部において側方に突出形成された目地用突出部とを有することを特徴として構成されている。
【００１０】
請求項１に係る発明においては、多数の緑化ブロックの目地用突出部を着き合わせることにより、緑化ブロック間に目地となる空間を形成することができ、この空間に植生土を充填するとともに芝を植え付けることにより、緑化舗装を簡単に構築することができる。また、目地用突出部が下端部においてブロック本体より側方へ突出しているので、車が走行した場合であっても、タイヤが接触するブロック本体の端部は目地用突出部の端部より中心側に位置し、すなわち回転の中心となる部位は目地用突出部の端部となり、回転力を小さくする。
【００１１】
請求項２に係る発明は、前記ブロック本体の下面に凹部が形成されていることを特徴として構成されている。
【００１２】
請求項２に係る発明においては、凹部に植生土が雨水等により流入し、目地部分の植生土を減少させる。その結果、芝の植付けられた位置が低くなり、芝が伸びてもブロック本体より上方へ突出する長さを抑制するので、芝の管理を容易にしている。
【００１３】
【発明の実施の形態】
本発明による緑化ブロックは、ブロック本体の周面下部において目地用突出部が突出形成されている。この目地用突出部は、その上部において隣り合う緑化ブロックとの間に目地となる空間（すなわち、植生土を充填する空間）を確保するためのもので、所望の空間を確保できれば、その形状、寸法等は特に限定されない。例えば、ブロック本体の全周に形成しても、分割して複数個を形成してもよいが、全周に形成する場合は、水抜孔を形成することが好ましい。
【００１４】
目地用突出部の幅（ブロック本体から突出している長さ）は、目地の幅により適宜変更することができるが、通常、隣り合う緑化ブロックの目地用突出部を着き合わせるので、目地の約半分の長さに形成する。
【００１５】
ブロック本体の下面に凹部を設けることが好ましい。凹部を設けることにより、植生土が雨水等により流入することができ、その結果、目地部分の植生土が減少し芝がブロック本体より大きく突出することがない。この凹部は、植生土が流入できるものであれば、その形状、数等は特に限定されず、例えば、断面半円状の溝を縦方向又は横方向に貫通して形成したり、ブロック本体の下面のみに形成したりする。
【００１６】
本発明による緑化ブロックの一実施形態を図面を参照して説明する。
【００１７】
図１は緑化ブロックの斜上方から見た斜視図、図２は緑化ブロックの斜下方から見た斜視図、図３は緑化ブロックを組み付けた緑化ブロック群を示す平面図、図４は本発明の緑化ブロックを用いて構築した緑化舗装の断面図である。
【００１８】
図１及び図２に示す緑化ブロック１において、１０は直方体状のブロック本体で、このブロック本体１０の周面下部には、植生土を充填するための空間を形成する目地用突出部２０が側方に突出形成されている。この目地用突出部２０には、四隅に１／４円状の水抜用切欠３０が形成されるとともに、長手側の中央にも前記水抜用切欠３０と同一半径を持つ半円状の水抜用切欠４０が形成されており、これらの水抜用切欠３０、４０は、植生土に水が滞留することなく地中に逃げることができるようにするためのものである。したがって、目地用突出部２０は、ブロック本体１０の長手辺側に位置する２個（両側では４個）の長手側目地用突出部２１と、短手辺側に位置する短手側目地用突出部２２とからなっており、これらの長手側目地用突出部２１と短手側目地用突出部２２とは、略台形状の同一形状に形成されている。また、長手側目地用突出部２１と短手側目地用突出部２２とは、ブロック本体１０からの突出長さが同一に形成され、ブロック本体１０の周囲に設ける目地が同一幅となるようになっている。
【００１９】
前記ブロック本体１０及び短手側目地用突出部２２の下面には、凹部としての長手方向に貫通した断面半円状の溝５０が形成されており、この溝５０充填した植生土が雨水等により流れ込んで来るためのものである。
【００２０】
なお、以上のような緑化ブロック１において、ブロック本体１０の幅Ｗ＝７５ｍｍ、ブロック本体１０の長さＬ＝２００ｍｍ、ブロック本体１０の目地用突出部２０より上の高さＨ＝５０ｍｍ、長手側目地用突出部２１の突出長さＤ＝２５ｍｍ、短手側目地用突出部２２の突出長さＥ＝２５ｍｍ、長手側目地用突出部２１及び短手側目地用突出部２２の厚さＴ＝３０ｍｍ、水抜用切欠３０、４０の半径Ｒ１＝２５ｍｍ、溝５０の半径Ｒ２＝１２．５ｍｍに設定されている。
【００２１】
次に、緑化ブロック１を緑化舗装を構築するために組み付けた緑化ブロック群について、図３を参照して説明する。
【００２２】
図３に示す緑化ブロック群は、緑化ブロック１を千鳥状に敷設したもので、短手側目地用突出部２２が隣り合う緑化ブロック１の長手側目地用突出部２１と当接し、長手側目地用突出部２１が隣り合う緑化ブロック１の短手側目地用突出部２２と長手側目地用突出部２１とに当接している。したがって、２つの水抜用切欠３０と１つの水抜用切欠４０とにより円形状の水抜孔２が形成されている。
【００２３】
なお、３は緑化ブロック群の端部に配置される正方形状の緑化ブロックで、目地用突出部及び水抜切欠は、緑化ブロック１と同様に形成されている。
【００２４】
以上のような緑化ブロック群に植生土を充填するとともに芝を植え付けて緑化舗装を構築した例について、図４を参照して説明する。
【００２５】
図４において、緑化ブロック１は地面４に敷設されており、隣り合う緑化ブロック１の長手側目地用突出部２１同士が当接するとともに、隣り合う緑化ブロック１の長手側目地用突出部２１と短手側目地用突出部２２とが当接している。そして、隣り合うブロック本体１０と２つの長手側目地用突出部２１又は長手側目地用突出部２１及び短手側目地用突出部２２とで囲まれた目地用空間が形成され、この目地用空間に植生土５が充填され、さらにこの植生土５に芝６が受け付けられている。
【００２６】
以上のような緑化ブロック１においては、車が緑化ブロック１上を走行した際、タイヤＡがブロック本体１０の上面の角部ａに当接することになり、長手側目地用突出部２１の先端下部の角部ｂを中心として緑化ブロック１を回転させようとする。しかしながら、この回転の中心となる角部ｂは、タイヤＡが当接する角部ａより反進行側（図中、右側）に位置するとともに、中心線ｃより遠くに位置しているので、角部ｂを中心として回転させる力が小さく、緑化ブロック１は動くことが殆どない。
【００２７】
また、時間の経過とともに、充填した植生土５が雨水等により地中方向へ流れ出そうとするが、この時、下面には溝５０が形成されているので、流出した植生土５を受け入れることができる。したがって、図中２点鎖線で示すように、植生土５が徐々に減少して行き、植生土５の上面がブロック本体１０の上面より徐々に低くなる。その結果、時間の経過とともに芝６は背が高くなるが、芝の先端の高さが植生土５の低下で緩和されることとなり、芝刈り作業の頻度を少なくすることができる。また、溝５０に植生土５が溜まることにより、植生土５が雨水を保持するので、保水効果を発揮することができる。
【００２８】
【発明の効果】
請求項１に係る発明は、ブロック本体の周面下端部に目地用突出部を突出形成したので、スペーサ等の他の部材を必要とすることなく、簡単に緑化舗装を構築することができる。また、目地用突出部がブロック本体の下部周面に形成した目地用突出部により、外部から力が作用した場合であっても、移動することなく安定した状態を維持することができる。
【００２９】
請求項２に係る発明は、ブロック本体の下面に凹部を形成したので、雨水等により植生土が流入することができ、その結果、目地部分の植生土が減少して低くなるので、芝が伸びてもブロック本体より上方へ突出する長さを抑制することができ、芝の管理が容易になる。
【図面の簡単な説明】
【図１】本発明による緑化ブロックの一実施形態の斜上方から見た斜視図である。
【図２】本発明による緑化ブロックの一実施形態の斜下方から見た斜視図である。
【図３】本発明による緑化ブロックの一実施形態を組み付けた緑化ブロック群の平面図である。
【図４】本発明による緑化ブロックを用いて構築した緑化舗装の断面図である。
【図５】従来の緑化舗装の断面図である。
【符号の説明】
１…緑化ブロック
５…植生土
６…芝
１０…ブロック本体
２０…目地用突出部
２１…長手側目地用突出部
２２…短手側目地用突出部
３０…水抜用切欠
４０…水抜用切欠
５０…溝（凹部）
【図１】
2004124481.tif 000003
【図２】
2004124481.tif 000004
【図３】
2004124481.tif 000005
【図４】
2004124481.tif 000006
【図５】
2004124481.tif 000007